(57)【特許請求の範囲】
【請求項１】
設定された目的地に向けて経路誘導する機能を備えたナビゲーション装置において、
ナビゲーション使用言語を設定する使用言語設定手段、
目的地を設定する目的地設定手段を備え、
目的地設定手段は、目的地の設定に際して都市の名称を表示する必要が生じたとき、該都市について複数の呼び名が存在する場合、前記設定されているナビゲーション使用言語と目的地が存在する国の言語に応じた呼び名のみ表示する、
ことを特徴とするナビゲーション装置。
【請求項２】
目的地設定手段は、目的地が存在する国を設定する手段を備えることを特徴とする請求項1記載のナビゲーション装置。
【請求項３】
都市名に対応させて、複数の呼び名の1つであるか、及び、複数の呼び名の1つであれば呼び名の言語を記憶する都市名リストを備え、
前記目的地設定手段は、都市の名称を表示する必要が生じたとき、前記都市名リストを参照して該都市について複数の呼び名が存在するかいなか及び呼び名の言語を調べ、複数の呼び名が存在する場合には、前記使用言語と目的地が存在する国の言語に応じた呼び名のみ表示する、
ことを特徴とする請求項1又は請求項２記載のナビゲーション装置。
【請求項４】
前記目的地設定手段は、(1)目的地が存在する都市名を入力する際、キーボードをディスプレイ画面に表示し、(2)該キーボードを用いて目的地が存在する都市名の先頭の1乃至数スペルが入力されたとき、該スペルを先頭に有する都市名から始めてアルファベット順に都市名リストを表示し、(3)該都市名リストより目的地が存在する都市名を選択して入力し、
かつ、前記都市名リストの表示に際して、所定の都市について複数の呼び名が存在する場合、前記使用言語と目的地が存在する国の言語に応じた呼び名のみ表示する、
ことを特徴とする請求項1又は請求項２記載のナビゲーション装置。
【請求項５】
前記目的地設定手段は、目的地が存在する可能性のある都市名リストを表示し、該都市名リストより目的地が存在する都市名を選択して入力させる場合、所定の都市について複数の呼び名が存在すれば、前記使用言語と目的地が存在する国の言語に応じた呼び名のみ表示する、
ことを特徴とする請求項1又は請求項２記載のナビゲーション装置。
【発明の詳細な説明】
【０００１】
【発明の属する技術分野】
本発明は設定された目的地に向けて経路誘導する機能を備えたナビゲーション装置に係わり、特に、都市の名称を表示する必要が生じたとき、該都市について複数の呼び名が存在する場合、ナビゲーションにおける現使用言語と目的地が存在する国の言語の２つの呼び名で表示するナビゲーション装置に関する。
【０００２】
【従来の技術】
ナビゲーション装置は車両の位置を検出してCD-ROM、DVDなどの地図記憶媒体から車両位置周辺の地図データを読み出し、地図画像をディスプレイ画面に描画するとともに該地図画像上の所定箇所に車両マークを重ねて描画する。そして、車両の移動により現在位置が変化するに従い、画面の車両マークを移動したり、或いは車両マークは画面中央等の所定位置に固定して地図をスクロールして、常に、車両位置周辺の地図情報が一目で判るようしている。
【０００３】
かかるナビゲーション装置にはドライバを目的地まで案内する経路誘導機能がある。この経路誘導機能によりナビゲーション装置に経路案内をさせるには、目的地を入力し、目的地までの経路を探索しなければならない。目的地を入力するには、
(1) 目的地のアドレスを直接入力する方法、
(2) 目的地である施設POI(Point of Interest) のカテゴリーと所在都市名を入力してPOIの候補リストを表示し、該候補リストより目的地であるPOIを選択する方法、
(3) カーソルで直接地図上の目的地を指示して入力する方法、
(4) 2つのストリートの交差点を目的地として入力する方法、
(5) 目的地の電話番号を入力する方法、
(6) アドレスに所定の名称を付してアドレスブックに登録しておき、該アドレスブックを表示して目的地のアドレスを入力する方法、
などがある。
【０００４】
欧州の住所表記は日本の住所表記と異なり、図11に示すように
ストリート名／番地／郵便番号／都市名／国名
のフォーマットを有している。従って、欧州において目的地はストリート名／番地／都市名を入力することにより特定できる。
そこで、欧州用のナビゲーション装置において、(1)の方法により目的地を入力するには、ユーザはリモコン等のメニューキーを操作してスクリーンにメインメニューを表示し（図１２(a)参照）、メインメニューよりメニュー項目"Dest"を選択する。"Dest"の選択により、ナビゲーション装置は(b)に示すように目的地入力方法を特定するための"Find Destination by"画面を表示するから、メニュー項目"Address"を選択すれば、ナビゲーション装置は(c)に示すようにメニュー項目"City Name", "Street Name"を表示する。都市名より始めて目的地のアドレスを入力するには、メニュー項目"City Name"を選択し、ストリート名より始めて目的地のアドレスを入力するには、メニュー項目"Street Name"を入力する。
【０００５】
例えば、メニュー項目"City Name"を選択すると、ナビゲーション制御部は図１２(d)に示すように都市名を入力させるためのアルファベット/ニューメリックキーボードをスクリーンに表示する。キーボードを用いてユーザが都市名の先頭数スペルを入力すると、該スペルを有する都市名のリストがスクロール可能に表示される。図はスペル"MI"が入力された場合を示し、先頭に"MI"を有する都市名"MILTON KEYNES", "MILTON KEYNES(ASHLAND)", "MILTON KEYNES(ASPLEY GUISE)"が表示される。ついで、ジョイスティックキーを用いて都市名リストをスクロールして所望の都市名(MILTON KEYNES)を選択する。以上により、都市名の特定作業が終了すれば、ナビゲーション制御部は特定された都市に存在する全ストリートの名称リストを表示する（図示せず）。ユーザがストリートリストをスクロールして所望のストリート名を選択し、最後に、家屋番号あるいはビルディングの番号あるいはストリート番号(総称して番地という)を入力すれば、目的地アドレスの入力が完了する。これにより、ナビゲーション制御部はアドレスより目的地の経緯度を求め、車両現在位置から目的地までの誘導経路を探索して表示する。
【０００６】
一方、メニュー項目"Street Name"を選択すると、ナビゲーション制御部は図１２(e)に示すようにストリート名を入力させるためのアルファベット/ニューメリックキーボードをスクリーンに表示する。キーボードを用いてユーザがストリート名の先頭数スペルを入力すると、該スペルを有するストリート名のリストがスクロール可能に表示される。図はスペル"ST"が入力された場合を示し、先頭に"ST"を有するストリート名"STATE ST", "STATION AVE", "STATION RD"が表示される。ついで、ジョイスティックキーを用いてリストをスクロールして所望のストリート名(STATION AVE)を選択する。
【０００７】
以上により、ストリート名の特定作業が終了すれば、ナビゲーション制御部は特定されたストリートが存在する都市の名称リストを表示する（図示せず）。ユーザが名称リストをスクロールして所望の都市名を選択し、最後に、家屋あるいはビルディングの番号を入力すれば、目的地アドレスの入力が完了する。これにより、ナビゲーション制御部はアドレスより目的地の経緯度を求め、車両現在位置から目的地までの誘導経路を探索して表示する。
【０００８】
図１３はPOIを特定して目的地を入力する操作説明図であり、"Find Destination by"画面を表示するまでは図１２のアドレス入力と操作は同じである。"Find Destination by"画面において、メニュー項目"Point of Interest"を選択すれば、ナビゲーション制御部は図１３(a)に示すようにメニュー項目"Place   Name(施設名)", "Place Type(施設タイプ)"を表示するから、例えば、メニュー項目"Place Type"を 選択する。これにより、ナビゲーション制御部は図１３(b)に示すようにカテゴリーのリストである"Select Category"画面を表示する。カテゴリーリストから所定のカテゴリー(例えばshopping)を選択すると、ナビゲーション制御部は(c)に 示すように都市名を入力させるためのキーボードを表示する。ユーザがキーボードを用いて都市名の先頭数スペルを入力すると、該スペルを有する都市名のリストがスクロール可能に表示されるから、このリストより所望の都市名(例えばCosta Mesa)を選択する。都市名入力により、ナビゲーション制御部は該都市に存在する前記特定されたカテゴリーの全POI名(施設名)のリストを(d)に示すようにスクロール可能に表示する。POIリストから所望のPOI(例えばTRIANGLE SQUARE)を選択すれば、該POIの名称、住所、電話番号等を(e)に示すように表示する。 POIが目的地として正しければ、"Enter to Proceed"を選択して目的地として確定する。以後、ナビゲーション制御部はアドレスより目的地の経緯度を求め、車両現在位置から目的地までの誘導経路を探索して表示する。
【０００９】
【発明が解決しようとする課題】
欧州用のナビゲーション装置など複数国をカバーするナビゲーション装置は多言語に対応するようになっており、言語選択操作により選択された言語で地図あるいはメニュー画像を作成して表示する。又、言語によって呼び名が変わる都市が多数存在するが、欧州用ナビゲーション装置は都市名を表示する場合、全呼び名で都市名を表示する。たとえば、イギリスのロンドンの場合、言語によって以下の4種類
LONDON(英語表記)
LONDEN
LONDRA(伊語表記)
LONDRES(仏語表記)
の呼び名がある。又、ドイツのミュンヘンの場合、言語によって以下の3種類、
Munchen（ｕはウムラウト付き）
Munich
Monaco
等の呼び名がある。これらをイグゾニム(Exonym：異音同義語)と称している。このように複数の呼び名が存在する場合、目的地入力などの都市名リスト表示において、従来のナビゲーション装置は図１４に示すように全呼び名で表示する。図14ではロンドンが4つの言語で表示されている。
【００１０】
しかし、複数の呼び名を有する都市は多数存在する為、全言語で都市名を表示するとデータ量が増加してスクロール回数が多くなるなど操作性が低下する。また、全言語で都市名を表示すると目的とする都市名を選択するのに手間がかかりユーザが簡単に所望の都市名を指定することができず混乱を生じる。
以上から本発明の目的は、複数の呼び名がある都市の名称を表示する場合、全呼び名を表示せず、必要最小限の呼び名のみを表示することである。
【００１１】
【課題を解決するための手段】
本発明は、設定された目的地に向けて経路誘導する機能を備えたナビゲーション装置であり、ナビゲーションで使用する言語を設定する使用言語設定手段、目的地を設定する目的地設定手段を備えている。目的地設定手段は、目的地の設定に際して都市の名称を表示する必要が生じたとき、該都市について複数の呼び名が存在する場合、前記設定されている使用言語と目的地が存在する国の言語に応じた呼び名のみ表示する。これにより、複数の呼び名がある都市の名称を表示する場合、ナビゲーションにおける使用言語と目的地が存在する国の言語とに応じた呼び名のみ表示するだけでよく、表示する都市名数を減少でき、操作性能が向上し、所望の都市名を簡単に選択して入力することができるようになる。
【００１２】
【発明の実施の形態】
（Ａ）ナビゲーション装置の構成
図１は本発明のナビゲーション装置の構成図である。図中、１１は地図情報を記憶する地図記憶媒体で、例えばDVD(ディジタルビデオディスク)、１２はDVDからの地図情報の読み取りを制御するDVD制御部、１３は車両現在位置を測定する位置測定装置で、移動距離を検出する車速センサー、移動方位を検出する角速度センサー、ＧＰＳレシーバ、位置計算用ＣＰＵ等で構成されている。１４はDVDから読み出した車両位置周辺の地図情報を記憶する地図情報メモリ、１５はメニュー選択による各種設定、指示を行なうと共に目的地の入力、拡大／縮小等の操作を行うリモコン、１６はリモコンインターフェースである。
【００１３】
１７はナビゲーション装置全体を制御するＣＰＵ（ナビゲーション制御部）、１８はＤＶＤより各種制御プログラムをダウンロードするためのソフトウェア(ローディングプログラム)、固定データ類等を記憶するＲＯＭ、１９はＤＶＤからダウンロードされた各種制御プログラム（言語選択プログラムLSP、目的地設定プログラムDSP、経路探索プログラムRSP等）、探索された誘導経路データRT、その他の処理結果を記憶するＲＡＭである。
【００１４】
２１はDVDから読み出した住所データベースを記憶する記憶部であり、図２に示すように、アルファベット順に都市名を配列した都市名リストCTL、アルファベット順にストリート名を配列したストリート名リストSTL、アドレス（都市コード／ストリートコード／番地）が示す地点の経緯度を記憶するアドレス/位置データベースAPDBを有している。都市名リストCTLは、都市名に対応させて、都市名コード、複数の呼び名の1つであるか否かを示すフラグF、複数の呼び名の1つであれば呼び名の言語を記憶している。従って、都市の名称を表示する必要が生じたとき、この都市名リストCTLを参照することにより、該都市について複数の呼び名が存在するかいなか及び呼び名の言語を取得することができる。
【００１５】
２２はDVDから読み出したPOIデータベースを記憶する記憶部であり、図3に示すように、カテゴリーリストCGL、施設名(POI)に対応させてカテゴリー、住所、電話番号などを記憶する施設/カテゴリー/住所データべースPCADを有している。カテゴリーリストCGLは主分類/サブ分類に階層的に構成され、主分類にはオートサービス、銀行、シティセンター、病院、ホテル、レジャー、レストラン、ショッピング、旅行、その他があり、主分類カテゴリーはいくつかのサブ分類のカテゴリーを含んでいる。
２３は地図画像／誘導経路画像等を発生するディスプレイコントローラ、２４はディスプレイコントローラが発生した画像を記憶するビデオＲＡＭ、２５は各種メニュー画像およびリスト画像を発生するメニュー／リスト発生部、２６は各種画像を合成して出力する画像合成部、２７は画像合成部から出力される画像を表示する表示装置(モニタ)、２８は交差点までの距離や進行方向を音声で案内する音声案内部、２９はバス線である。
【００１６】
（B）言語選択
図４は本発明のナビゲーション言語選択方法の説明図であり、現在英語が選択されているものとする。（ａ）の地図表示画面において、リモコンあるいは操作部のメニューキーを押すと、画面上に英語で（ｂ）に示すメニューが表示される。ここでsetting項目MN1を押すと、（ｃ）に示すメニューが表示される。ついでLanguage項目MN2を選択すれば(d)に示す言語選択メニューが表示され、言語選択が可能となるから所望の言語に応じたメニュー項目を選択する。図４は英語が選択されている場合であるが、フランス語が選択されている場合には（ｂ）〜（ｄ）の各メニューはフランス語で表示される。
【００１７】
（C）都市名表示処理
図5は本発明の都市名表示処理フローである。目的地入力において都市名を表示する必要が生じれば(ステップ101でYES)、該都市名がイグゾニム(異音同義語)であるかチェックする(ステップ102)。都市名がイグゾニム(異音同義語)でなければ、該都市名をそのまま表示する(ステップ103)。一方、都市名がイグゾニム(異音同義語)であれば、言語選択により現在選択されているナビゲーション言語および目的地が存在する国に応じた言語を識別する(ステップ104)。そして、イグゾニムの都市名については、ステップ104で認識した２つの言語で都市名を表示する(ステップ105)。尚、2つの言語が同じ場合には該言語のみで都市名を表示する。
以上の処理により、使用言語がフランス語で、都市が存在する国が英国であれば(たとえばロンドン)、ロンドンのフランス語表記"LONDRES"とロンドンの英語表記"LONDON"のみが表示される。
【００１８】
(D)目的地入力における本発明の都市名表示処理の応用
・カーソルで直接地図上の目的地を指示する場合
図6はカーソルで直接地図上の目的地を指示する場合の処理フローである。
ユーザはメインメニュー（たとえば図１２(a)参照)よりメニュー項目"Dest"を選択する。"Dest"の選択により、ナビゲーション制御部(CPU)17は目的地入力方法を特定するための"Enter Destination by"画面を表示する(図6(a))。ここでメニュー項目"Map Input"を選択すれば、ナビゲーション制御部は現車両位置（Current Position）か都市（City）のいずれかを選択するための"Show Area of"画面を表示する(図6(b))。なお、この"Show Area of"画面には目的地が存在する国を選択する為のメニュー項目"Change Counry"も表示する。
【００１９】
現車両位置を目的地として入力する場合は、"Current Position"を選択する。一方、所定の都市内の地点を目的地として設定する場合は、該都市が存在する国を選択し、しかる後、"a City"を選択する。図ではUK(英国)が選択されている場合が示されており、別の国を選択するには、図7(a)に示すように"Change Country"項目を選択する。"Change Country"項目の選択によりナビゲーション制御部は国名リストを表示するから(図7(b))、所望の国を選択してリモコンのキャンセルキーを操作すれば元の画面に戻る(図7(c))。
【００２０】
図6に戻って、(b)の画面において、a Cityが選択されると、ナビゲーション制御部17は、目的地が存在する都市名を入力させるために、キーボードをディスプレイ画面に表示する(図6(c))。ユーザがキーボードを用いて目的地が存在する都市名の先頭の1乃至数スペルを入力 (図では先頭のアルファベットAを入力) すると、ナビゲーション制御部17は住所データべース21の都市名リストCTL(図2)を参照して該スペルを先頭に有する都市名をいくつか検索してアルファベット順に、且つ、スクロール可能に表示する(図6(d))。この場合、ナビゲーション制御部17は図5の処理フローにしたがってイグゾニムの都市名についてはナビゲーション使用言語と目的地が存在する国の言語の2カ国語でのみ表示する。
ついで、都市名をスクロールして目的地が存在する都市名を選択すれば、該都市の中心にカーソルを表示する。以後、カーソルを移動させて所望の地点に位置決めし目的地として入力する(図6(e))。
【００２１】
・アドレス入力により目的地を設定する場合
図8はアドレス入力による目的地設定処理フローである。
メインメニューにおいて目的地設定を選択すれば、ナビゲーション制御部は目的地入力方法を特定するための"Enter Destination by"画面(図８(a))を表示する。この画面において、ユーザがメニュー項目"Address"を選択すれば、ナビゲーション制御部17は、メニュー項目"City", "Street"を有する"Find Address by"画面を表示する（図８(b)）。この"Find Address by"画面には目的地が存在する国を選択する為のメニュー項目"Change Counry"も表示され、都市、ストリートが存在する国を指定できるようになっている。
【００２２】
都市名より始めて目的地のアドレスを入力するには、"City"を選択し、ストリート名より始めて目的地のアドレスを入力するには"Street "を選択する。都市名より始めて目的地を特定するために"City"を選択すると、ナビゲーション制御部は都市名を入力させるためのキーボードをスクリーンに表示する(図8(c))。この状態でユーザが都市名の先頭数スペルを入力すると、該スペルを有する都市名のリストがスクロール可能に表示される（図8(d)）。図ではスペル"MI"が入力された場合を示し、先頭に"MI"を有する都市名
"MILTON HILL", "MILTON KEYNES", "MINDRUM", "MINEHEAD", "MIRFIELD"
が表示される。なお、この都市名表示において、ナビゲーション制御部17は図5の処理フローにしたがいイグゾニムの都市名が存在するかチェックし、存在すればイグゾニムの都市名についてはナビゲーション使用言語と目的地が存在する国の言語の2カ国語でのみ表示する。
【００２３】
ユーザが都市名リストをスクロールして所望の都市名、例えば、"MILTON KEYNES"を選択すると、ナビゲーション制御部17は次にストリート名を入力させるためのキーボードをスクリーンに表示する(図8(e))。この状態でユーザがストリート名の先頭数スペルを入力すると、ナビゲーション制御部は住所データべースを参照し、前記都市内に存在するストリートであって、該スペルを有するストリート名のリストをスクロール可能に表示する（図8(f)）。図ではスペル"R"が入力された場合を示し、先頭に"Ｒ"を有するストリート名から始まって幾つかのストリート名
"RIDGEMONT LN", "SPRINGFIELD RD", "STATIN RD", "THE RIDING",
"WESTFIELD ST"
が表示される。ユーザはストリート名リストをスクロールして所望のストリート名、例えば、"STATION RD"を選択する。ストリート名が特定されると、以後、従来と同様にストリート上の番地やLocalityを特定して目的地のアドレスを設定し、該設定アドレスが示す地点を目的地として経路探索する。
【００２４】
・POI(施設)入力により目的地を設定する場合
図９は施設入力による目的地設定処理フローである。
目的地入力方法を特定するための"Enter Destination by"画面(図8(a))において、ユーザがメニュー項目"Place"を選択すれば、ナビゲーション制御部17は、メニュー項目"Name", "Category"を有する"Find Place by"画面を表示する（図９(a)）。この"Find Place by"画面には施設が存在する国を選択する為のメニュー項目"Change Counry"も表示され、該施設が存在する国を指定できるようになっている。
【００２５】
施設名を入力して施設を特定する場合にはメニュー項目"Name"を選択し、施設のカテゴリーを、特定する場合には"Category"を選択する。たとえば、"Category"を選択すると、ナビゲーション制御部17はPOIデータべース22(図3)を参照してカテゴリーの主分類項目を有する"Choose a Category"画面を表示する（図９(b)）。
【００２６】
図9(b)において、目的とする施設のカテゴリーガ入力されると、ナビゲーション制御部は入力されたカテゴリーが銀行、病院、ホテル、ショッピング、シティセンターのいずれであるかチェックし、「NO」であればサブ分類のカテゴリーを入力させるための"Sub Category"画面を表示する(図9 (c))。図では主分類のカテゴリーとしてレストランが入力された場合を示している。
【００２７】
サブ分類のカテゴリーが特定されると、あるいは、図9(b)において銀行、病院、ホテル、ショッピング、シティセンターのいずれかが入力されると、ナビゲーション制御部17はメニュー項目"Place Name" 、"Sort by Distance to Travel" 、"a City Vicinity"を有するメニュー画面を表示する(図9(d))。施設が存在する都市を入力する場合にはこのメニュー画面において"a City Vicinity"を選択する。"a City Vicinity"の選択により、ナビゲーション制御部は都市名を入力させるためのキーボードをスクリーンに表示する(図９(e))。この状態でユーザが、施設が存在する都市名の先頭数スペルを入力すると、ナビゲーション制御部は該スペルを有する都市名のリストをスクロール可能に表示する（図９(f)）。図ではスペル"Ａ"が入力された場合を示している。この都市名表示において、ナビゲーション制御部17は図5の処理フローにしたがいイグゾニムの都市名が存在するかチェックし、存在すればイグゾニムの都市名については使用言語と目的地が存在する国の言語の2カ国語のみで表示する。
【００２８】
ユーザが都市名リストをスクロールして所望の都市名、例えば、"AB KETTLEBY"を選択すると、ナビゲーション制御部17は該選択した都市に図9(a)又は(c)で特定したカテゴリーの施設が存在するか調べ、存在すればそれら施設のリストを表示する(図9(g))。そして、ユーザがスクロールにより所望の施設を選択すれば、制御部は該施設の名称、住所、電話番号等を表示し(図9(h))、該施設までの経路を探索する。なお、選択した都市に図9(a)又は(c)で特定したカテゴリーの施設が存在しなければ、該当施設が存在しない旨を示すメッセージを表示し(図9(ｉ))、別の都市を選択させる。
【００２９】
・交差点入力により目的地を設定する場合
図１０は交差点入力により目的地を設定する処理フローである。
目的地入力方法を特定するための"Enter Destination by"画面(図8(a))において、ユーザがメニュー項目"Intersection"を選択すれば、ナビゲーション制御部17は、メニュー項目"City", "Street"を有する"Find Intersection by"画面を表示する（図10(a)）。この"Find Intersection by"画面には交差点が存在する国を選択する為のメニュー項目"Change Counry"も表示され、該交差点が存在する国を指定できるようになっている。
【００３０】
"Street"を選択すれば、交差点を構成するストリート名を入力させるためのキーボードをスクリーンに表示する(図10(b))。ユーザがストリート名の先頭数スペルを入力すると、ナビゲーション制御部は該スペルを有するストリート名のリストをスクロール可能に表示する（図10(c)）。図ではスペル"GL"が入力された場合を示している。ユーザがストリート名リストをスクロールして所望のストリート名、例えば、"GLASOW"を選択すると、ナビゲーション制御部17は第2のストリート名を入力させるためのキーボードをスクリーンに表示する(図10(d))。ユーザがストリート名の先頭数スペルを入力すると、ナビゲーション制御部は該スペルを有するストリート名のリストをスクロール可能に表示する（図10(e)）。図ではスペル"DU"が入力された場合を示している。ユーザがストリート名リストをスクロールして所望のストリート名、例えば、"DUMBRECK"を選択すると、ナビゲーション制御部17は入力された2つの同名ストリートの交差点が複数の都市に存在するかチェックする。複数の都市に存在する場合には、20以上の都市に存在するかチェックし、存在する場合には、ナビゲーション制御部は都市名を入力させるためのキーボードをスクリーンに表示する(図10(f))。ユーザが、交差点が存在する都市名の先頭数スペルを入力すると、ナビゲーション制御部は該スペルを有する都市名からアルファベット順に都市名リストをスクロール可能に表示する（図10(g)）。図ではスペル"MI"が入力された場合を示している。なお、2つの同名ストリートの交差点が２０より少ない場合には、該交差点が存在する都市名リストを表示する（図10(g)）。
この図10(g)の都市名表示において、ナビゲーション制御部17は図5の処理フローにしたがいイグゾニムの都市名が存在するかチェックし、存在すればイグゾニムの都市名については使用言語と目的地が存在する国の言語の2カ国語のみで表示する。
【００３１】
ユーザが都市名リストをスクロールして所望の都市名を入力すれば、あるいは、交差点が1都市にしか存在しなければ、ナビゲーション制御部は、該都市内で複数の地点で交差するかチェックする。複数の地点で交差しなければ、2つのストリート名を表示し(図10(h))、該交差点を目的地として経路探索を行う。また、２つのストリートの交差点が前記都市内で複数の地点で交差する場合には所定の交差点を特定し、該交差点を目的地として経路探索を行う。
【００３２】
【発明の効果】
以上、本発明によれば、複数の呼び名がある都市の名称を表示する場合、ナビゲーションにおける使用言語と目的地が存在する国の言語とに応じた呼び名のみ表示するだけでよく、表示する都市名数を減少でき、操作性能が向上し、目的地設定に際して所望の都市名を簡単に選択して入力することができる。
【図面の簡単な説明】
【図１】本発明のナビゲーション装置の構成図である。
【図２】住所データべースである。
【図３】  POIデータべースである。
【図４】言語選択操作説明図である。
【図５】本発明の都市名表示処理フローである。
【図６】カーソルで直接地図上の目的地を指示する場合の処理フローである。
【図７】国選択操作の説明図である。
【図８】アドレス入力による目的地設定処理フローである。
【図９】施設入力による目的地設定処理フローである。
【図１０】交差点入力による目的地設定処理フローである。
【図１１】欧州住所フォーマットの一例である。
【図１２】従来のアドレス入力により目的地を特定する操作の説明図である。
【図１３】従来のPOIによる目的地入力の操作説明図である。
【図１４】異音同義語の都市名表示例である。
【符号の説明】
１７  CPU(ナビゲーション制御部)
２１  住所データべース
２２  POIデータべース
２７  モニタ
【図１】
0003816779.tif 000002
【図２】
0003816779.tif 000003
【図３】
0003816779.tif 000004
【図４】
0003816779.tif 000005
【図５】
0003816779.tif 000006
【図６】
0003816779.tif 000007
【図７】
0003816779.tif 000008
【図８】
0003816779.tif 000009
【図９】
0003816779.tif 000010
【図１０】
0003816779.tif 000011
【図１１】
0003816779.tif 000012
【図１２】
0003816779.tif 000013
【図１３】
0003816779.tif 000014
【図１４】
0003816779.tif 000015